【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
物理アップリンク制御チャネル（ＰＵＣＣＨ）リソースを選択する方法であって、
拡張物理ダウンリンク制御チャネル（ＥＰＤＣＣＨ）を基地局から受信される信号において第１のサブフレームで検出することと、
前記ＥＰＤＣＣＨに対してＨＡＲＱ−ＡＣＫリソースインジケータオフセット（ΔＡＲＯ）値を識別することと、
前記ＥＰＤＣＣＨに対応するハイブリッド自動再送要求−アクノリッジメント（ＨＡＲＱ−ＡＣＫ）の送信のためにＰＵＣＣＨリソースを選択することであって、前記ＰＵＣＣＨリソースが前記ΔＡＲＯ値に基づいて選択される、前記選択することと、
を含む、方法。
【請求項２】
請求項１に記載の方法であって、
第２のアンテナポートでの前記ＨＡＲＱ−ＡＣＫの送信のために第２のＰＵＣＣＨリソースを選択することを更に含む、方法。
【請求項３】
請求項１に記載の方法であって、
前記ＥＰＤＣＣＨのダウンリンク制御情報（ＤＣＩ）フォーマットにおけるＨＡＲＱ−ＡＣＫリソースオフセットフィールド値を検出することと、
テーブルにおいて前記ＨＡＲＱ−ＡＣＫリソースオフセットフィールド値を検索することによって前記ＥＰＤＣＣＨに対する前記ΔＡＲＯ値を識別することと、
を更に含む、方法。
【請求項４】
請求項３に記載の方法であって、
前記テーブルが、ΔＡＲＯ値に対して或るＤＣＩフォーマットについて前記ＨＡＲＱ−ＡＣＫリソースオフセットフィールド値をマッピングする、方法。
【請求項５】
請求項３に記載の方法であって、
前記ＨＡＲＱ−ＡＣＫリソースオフセットフィールド値が、ＤＣＩペイロードにおける２ビットフィールドである、方法。
【請求項６】
請求項５に記載の方法であって、
前記２ビットフィールドが、｛０，−１，−２，２｝の範囲におけるΔＡＲＯ値に対応する、方法。
【請求項７】
請求項１に記載の方法であって、
前記ΔＡＲＯ値が、準静的に構成されるＰＵＣＣＨリソースのセットのうちの１つを示す、方法。
【請求項８】
請求項３に記載の方法であって、
前記ＥＰＤＣＣＨの前記ＤＣＩフォーマットにおけるＨＡＲＱ−ＡＣＫリソースオフセットフィールドが、小さなオフセット又は大きなオフセットを示すために用いられる、方法。
【請求項９】
請求項８に記載の方法であって、
２ビットＨＡＲＱ−ＡＣＫリソースオフセットフィールド（ΔＡＲＯ）が、前記ＰＤＳＣＨ上のダウンリンク割当てをスケジュールするＥＰＤＣＣＨセットに挿入され、
サブフレームｎ−ｋｍにおけるＰＵＣＣＨリソースアロケーションのための前記ＨＡＲＱ−ＡＣＫリソースオフセットフィールドの値が、｛０，−１，−ＮＥＣＣＥ，ｑ，ｍ−１−１，−ＮＥＣＣＥ，ｑ，ｍ−１−２｝の範囲内の値を示す、方法。
【請求項１０】
ユーザ機器デバイスであって、
基地局から受信される信号においてサブフレームｎで拡張物理ダウンリンク制御チャネル（ＥＰＤＣＣＨ）を検出するように構成される受信プロセッサ回路と、
サブフレームｎ＋４での前記基地局に対するハイブリッド自動再送要求−アクノリッジメント（ＨＡＲＱ−ＡＣＫ）の送信のために物理アップリンク制御チャネル（ＰＵＣＣＨ）リソースを選択するように構成される送信プロセッサ回路であって、前記ＰＵＣＣＨリソースがＨＡＲＱ−ＡＣＫリソースオフセットに基づいて選択される、前記送信プロセッサ回路と、
前記基地局に前記ＰＵＣＣＨリソースを送信するように構成されるモデムと、
を含む、ユーザ機器デバイス。
【請求項１１】
請求項１０に記載のユーザ機器デバイスであって、
前記送信プロセッサ回路が、第２のアンテナポートでの前記ＨＡＲＱ−ＡＣＫの送信のために第２のＰＵＣＣＨリソースを選択するように更に構成される、ユーザ機器デバイス。
【請求項１２】
請求項１０に記載のユーザ機器デバイスであって、
前記受信プロセッサ回路が、前記ＥＰＤＣＣＨのダウンリンク制御情報（ＤＣＩ）フォーマットにおけるＨＡＲＱ−ＡＣＫリソースオフセットフィールド値を検出するように更に構成され、
前記送信プロセッサ回路が、テーブルにおける前記ＨＡＲＱ−ＡＣＫリソースオフセットフィールド値を検索することによって前記ＥＰＤＣＣＨに対する前記ＨＡＲＱ−ＡＣＫリソースオフセットを識別するように更に構成される、ユーザ機器デバイス。
【請求項１３】
請求項１２に記載のユーザ機器デバイスであって、
前記テーブルが、ＨＡＲＱ−ＡＣＫリソースオフセット値に対して或るＤＣＩフォーマットについて前記ＨＡＲＱ−ＡＣＫリソースオフセットフィールド値をマッピングする、ユーザ機器デバイス。
【請求項１４】
請求項１２に記載のユーザ機器デバイスであって、
前記ＨＡＲＱ−ＡＣＫリソースオフセットフィールド値が、ＤＣＩペイロードにおける２ビットフィールドである、ユーザ機器デバイス。
【請求項１５】
請求項１４に記載のユーザ機器デバイスであって、
前記２ビットフィールドが、｛０，−１，−２，２｝の範囲におけるＨＡＲＱ−ＡＣＫリソースオフセット値に対応する、ユーザ機器デバイス。
【請求項１６】
請求項１４に記載のユーザ機器デバイスであって、
前記２ビットフィールドが、｛０，−１，−ＮＥＣＣＥ，ｑ，ｍ−１−１，−ＮＥＣＣＥ，ｑ，ｍ−１−２｝の範囲内のＨＡＲＱ−ＡＣＫリソースオフセット値に対応する、ユーザ機器デバイス。
【請求項１７】
請求項１０に記載のユーザ機器デバイスであって、
前記２ビットＨＡＲＱ−ＡＣＫリソースオフセット値が、準静的に構成されるＰＵＣＣＨリソースのセットのうちの１つを示す、ユーザ機器デバイス。
【請求項１８】
請求項１４に記載のユーザ機器デバイスであって、
ＨＡＲＱ−ＡＣＫフィードバック情報が、前記示されたＰＵＣＣＨリソース上に送信される、ユーザ機器デバイス。
【請求項１９】
物理アップリンク制御チャネル（ＰＵＣＣＨ）リソースを選択する方法であって、
基地局から受信した信号内において第１のサブフレーム内に拡張物理ダウンリンク制御チャネル（ＥＰＤＣＣＨ）を検出することと、
前記ＥＰＤＣＣＨのためのＨＡＲＱ−ＡＣＫリソースインジケータオフセット（ΔＡＲＯ）値を識別することと、
前記ＥＰＤＣＣＨに対応するハイブリッド自動再送要求−アクノリッジメント（ＨＡＲＱ−ＡＣＫ）の伝送のためにＰＵＣＣＨリソースを選択することであって、前記ＰＵＣＣＨリソースが、前記ΔＡＲＯ値と高次層により構成されるＰＵＣＣＨリソースオフセットとに基づいて選択される、前記選択することと、
を含む、方法。
【請求項２０】
請求項１９に記載の方法であって、
前記ＰＵＣＣＨリソースオフセットがｐｕｃｃｈ−ＲｅｓｏｕｒｃｅＳｔａｒｔＯｆｆｓｅｔ−ｒ１１により与えられる、方法。
【請求項２１】
請求項１９に方法であって、
第２のアンテナポートでの前記ＨＡＲＱ−ＡＣＫの伝送のための第２のＰＵＣＣＨリソースを選択することを更に含む、方法。
【請求項２２】
請求項１９に記載の方法であって、
前記ＥＰＤＣＣＨのダウンリンク制御情報（ＤＣＩ）フォーマットにおけるＨＡＲＱ−ＡＣＫリソースオフセットフィールド値を検出することと、
テーブルにおいて前記ＨＡＲＱ−ＡＣＫリソースフィールド値を検索することにより前記ＥＰＤＣＣＨに対する前記ΔＡＲＯ値を識別することと、
を更に含む、方法。
【請求項２３】
請求項２２に記載の方法であって、
前記テーブルが、ΔＡＲＯ値に対する或るＤＣＩフォーマットのために前記ＨＡＲＱ−ＡＣＫリソースオフセットフィールド値をマッピングする、方法。
【請求項２４】
請求項２２に記載の方法であって、
前記ＨＡＲＱ−ＡＣＫリソースオフセットフィールド値がＤＣＩペイロードにおける２ビットフィールドである、方法。
【請求項２５】
請求項２４に記載の方法であって、
前記２ビットフィールドが、｛０，−１，−２，２｝の範囲におけるΔＡＲＯ値に対応する、方法。
【請求項２６】
請求項１９に記載の方法であって、
前記ΔＡＲＯ値が、準静的に構成されるＰＵＣＣＨリソースの１セットの中の１つを示す、方法。
【請求項２７】
請求項２２に記載の方法であって、
前記ＥＰＤＣＣＨのＤＣＩフォーマットにおけるＨＡＲＱ−ＡＣＫリソースオフセットフィールドが小さなオフセット又は大きなオフセットを示すために使用される、方法。